【手続補正書】
【提出日】平成17年9月6日(2005.9.6)
【手続補正１】
【補正対象書類名】明細書
【補正対象項目名】特許請求の範囲
【補正方法】変更
【補正の内容】
【特許請求の範囲】
【請求項１】  第１の情報処理装置、前記第１の情報処理装置と第１の側で接続される通信制御装置、および、前記通信制御装置の第２の側でネットワークを介して接続され、前記第１の情報処理装置と情報の授受を行う第２の情報処理装置から構成されるネットワークシステムにおいて、
前記第１の情報処理装置から前記第２の情報処理装置に対して、前記通信制御装置の前記第２の側において前記第１の情報処理装置を識別するための情報である第１の固有情報と、前記通信制御装置内のサービスを識別するための第１の識別情報の通知を要求する要求手段と、
前記要求手段からの前記要求を前記通信制御装置が受信した場合、前記要求に送信元情報として含まれる、前記第１の情報処理装置の前記第１の側において固有の情報である第２の固有情報および前記第１の情報処理装置内のサービスを識別するための第２の識別情報を、前記第１の固有情報および前記第１の識別情報に変換して、前記要求を前記第２の情報処理装置に転送する第１の転送手段と、
前記第１の転送手段から転送された、前記第１の情報処理装置による前記要求を前記第２の情報処理装置が受信した場合、要求された前記第１の固有情報と、前記第１の識別情報の通知を含む応答を前記第１の情報処理装置に対して出力する応答出力手段と、
前記応答出力手段からの前記応答を前記通信制御装置が受信した場合、前記応答に送信先情報として含まれる、前記第１の固有情報および前記第１の識別情報を、前記第２の固有情報および前記第２の識別情報に変換して、前記応答を前記第１の情報処理装置に転送する第２の転送手段と、
前記第２の転送手段から転送された、前記第２の情報処理装置からの前記応答を受信する応答受信手段と、
前記情報の送信を前記第２の情報処理装置が開始する場合、前記情報を送信するサービスを識別するための第３の識別情報を、前記応答を出力するサービスを識別するための第４の識別情報と同じに設定し、前記情報を送信する情報送信手段と、
前記情報送信手段からの前記情報を前記通信制御装置が受信した場合、前記情報に送信先情報として含まれる、前記第１の固有情報および前記第１の識別情報を、前記第２の固有情報および前記第２の識別情報に変換して、前記情報を前記第１の情報処理装置に転送する第３の転送手段と、
前記第３の転送手段から転送された、前記第２の情報処理装置からの前記情報を受信する情報受信手段と
を含むことを特徴とするネットワークシステム。
【請求項２】  前記要求手段は、前記第２の識別情報を備える第１のポートから前記要求を送信し、
前記第１の転送手段は、前記第１の識別情報を備える第２のポートから前記要求を転送し、
前記応答出力手段は、前記第４の識別情報を備える第３のポートから前記応答を出力し、
前記第２の転送手段は、前記第２のポートから前記応答を転送し、
前記応答受信手段は、前記第１のポートで前記応答を受信し、
前記情報送信手段は、前記第３の識別情報を備える前記第３のポートから前記情報を送信し、
前記第３の転送手段は、前記第２のポートから前記情報を転送し、
前記情報受信手段は、前記第１のポートで前記情報を受信する
ことを特徴とする請求項１に記載のネットワークシステム。
【請求項３】  前記第１の固有情報は、グローバルＩＰアドレスであり、
前記第２の固有情報は、ローカルＩＰアドレスであり、
前記第１の識別情報は、前記通信制御装置が通信のサービスを行なうポートのポート番号であり、
前記第２の識別情報は、前記第１の情報処理装置が通信のサービスを行なうポートのポート番号であり、
前記第３の識別情報は、前記第２の情報処理装置が前記情報を送信するサービスを行なうポートのポート番号であり、
前記第４の識別情報は、前記第２の情報処理装置が、前記応答を出力するサービスを行なうポートのポート番号である
ことを特徴とする請求項１に記載のネットワークシステム。
【請求項４】  第１の情報処理装置、前記第１の情報処理装置と第１の側で接続される通信制御装置、および、前記通信制御装置の第２の側でネットワークを介して接続され、前記第１の情報処理装置と情報の授受を行う第２の情報処理装置から構成されるネットワークシステムの通信方法において、
前記第１の情報処理装置から前記第２の情報処理装置に対して、前記通信制御装置の前記第２の側において前記第１の情報処理装置を識別するための情報である第１の固有情報と、前記通信制御装置内のサービスを識別するための第１の識別情報の通知を要求する要求ステップと、
前記要求ステップの処理による前記要求を前記通信制御装置が受信した場合、前記要求に送信元情報として含まれる、前記第１の情報処理装置の前記第１の側において固有の情報である第２の固有情報および前記第１の情報処理装置内のサービスを識別するための第２の識別情報を、前記第１の固有情報および前記第１の識別情報に変換して、前記要求を前記第２の情報処理装置に転送する第１の転送ステップと、
前記第１の転送ステップの処理により転送された、前記第１の情報処理装置による前記要求を前記第２の情報処理装置が受信した場合、要求された前記第１の固有情報と、前記第１の識別情報の通知を含む応答を前記第１の情報処理装置に対して出力する応答出力ステップと、
前記応答出力ステップの処理による前記応答を前記通信制御装置が受信した場合、前記応答に送信先情報として含まれる、前記第１の固有情報および前記第１の識別情報を、前記第２の固有情報および前記第２の識別情報に変換して、前記応答を前記第１の情報処理装置に転送する第２の転送ステップと、
前記第２の転送ステップの処理により転送された、前記第２の情報処理装置からの前記応答を受信する応答受信ステップと、
前記情報の送信を前記第２の情報処理装置が開始する場合、前記情報を送信するサービスを識別するための第３の識別情報を、前記応答を出力するサービスを識別するための第４の識別情報と同じに設定し、前記情報を送信する情報送信ステップと、
前記情報送信ステップの処理により送信された前記情報を前記通信制御装置が受信した場合、前記情報に送信先情報として含まれる、前記第１の固有情報および前記第１の識別情報を、前記第２の固有情報および前記第２の識別情報に変換して、前記情報を前記第１の情報処理装置に転送する第３の転送ステップと、
前記第３の転送ステップの処理により転送された、前記第２の情報処理装置からの前記情報を受信する情報受信ステップと
を含むことを特徴とする通信方法。
【請求項５】  通信制御装置を介してネットワークに接続されている他の情報処理装置と、前記ネットワークを介して情報を授受する情報処理装置において、
前記他の情報処理装置から送信された、前記通信制御装置において前記他の情報処理装置を識別するための情報である第１の固有情報と、前記通信制御装置内のサービスを識別するための第１の識別情報の通知の要求を受信する要求受信手段と、
前記要求受信手段により受信された前記第１の固有情報と前記第１の識別情報の通知の要求に対応して、前記通信制御装置の前記第１の固有情報と前記第１の識別情報の通知を含む応答を出力する応答出力手段と、
前記他の情報処理装置に前記情報を送信する情報送信手段とを備え、
前記情報送信手段は、前記情報処理装置の前記情報を出力するサービスを識別するための第２の識別情報を、前記情報処理装置の前記応答出力手段が前記応答を出力するサービスを識別するための第３の識別情報と同じとする
ことを特徴とする情報処理装置。
【請求項６】  前記要求受信手段により受信された、前記第１の固有情報と前記第１の識別情報の通知の要求には、送信元を表わす情報として、前記通信制御装置の前記第１の固有情報と前記第１の識別情報が含まれ、送信先を表わす情報として、前記情報処理装置に固有の情報である第２の固有情報と前記情報処理装置内のサービスを識別するための前記第３の識別情報が含まれ、
前記応答出力手段により出力される、前記通信制御装置の前記第１の固有情報と前記第１の識別情報の通知を含む応答には、送信元を表わす情報として、前記第２の固有情報と前記第３の識別情報が含まれ、送信先を表わす情報として、前記通信制御装置の前記第１の固有情報と前記第１の識別情報が含まれ、
前記情報送信手段により送信される前記情報には、送信元を表わす情報として、前記第２の固有情報と前記第２の識別情報が含まれ、送信先を表わす情報として、前記通信制御装置の前記第１の固有情報と前記第１の識別情報が含まれる
ことを特徴とする請求項５に記載の情報処理装置。
【請求項７】  前記第１の固有情報は、グローバルＩＰアドレスであり、
前記第２の固有情報は、グローバルＩＰアドレスであり、
前記第１の識別情報は、前記通信制御装置が通信のサービスを行なうポートのポート番号であり、
前記第２の識別情報は、前記情報処理装置が前記情報を送信するサービスを行なうポートのポート番号であり、
前記第３の識別情報は、前記情報処理装置が、前記応答を出力するサービスを行なうポートのポート番号である
ことを特徴とする請求項６に記載の情報処理装置。
【請求項８】  通信制御装置を介してネットワークに接続されている他の情報処理装置と、前記ネットワークを介して情報を授受する情報処理装置の情報処理方法において、
前記他の情報処理装置から送信された、前記通信制御装置おいて前記他の情報処理装置を識別するための情報である第１の固有情報と、前記通信制御装置内のサービスを識別するための第１の識別情報の通知の要求を受信する要求受信ステップと、
前記要求受信ステップの処理により受信された前記第１の固有情報と前記第１の識別情報の通知の要求に対応して、前記通信制御装置の前記第１の固有情報と前記第１の識別情報の通知を含む応答を出力する応答出力ステップと、
前記他の情報処理装置に前記情報を送信する情報送信ステップとを含み、
前記情報送信ステップの処理は、前記情報処理装置の前記情報を出力するサービスを識別するための第２の識別情報を、前記情報処理装置の前記応答出力ステップの処理により前記応答を出力するサービスを識別するための第３の識別情報と同じとする
ことを特徴とする情報処理方法。
【請求項９】  通信制御装置を介してネットワークに接続されている他の情報処理装置と、前記ネットワークを介して情報を授受する情報処理装置を制御するコンピュータが実行可能なプログラムであって、
前記他の情報処理装置から送信された、前記通信制御装置において前記他の情報処理装置を識別するための情報である第１の固有情報と、前記通信制御装置内のサービスを識別するための第１の識別情報の通知の要求を受信する要求受信ステップと、
前記要求受信ステップの処理により受信された前記第１の固有情報と前記第１の識別情報の通知の要求に対応して、前記通信制御装置の前記第１の固有情報と前記第１の識別情報の通知を含む応答を出力する応答出力ステップと、
前記他の情報処理装置に前記情報を送信する情報送信ステップとを含み、
前記情報送信ステップの処理は、前記情報処理装置の前記情報を出力するサービスを識別するための第２の識別情報を、前記情報処理装置の前記応答出力ステップの処理により前記応答を出力するサービスを識別するための第３の識別情報と同じとする
ことを特徴とするプログラム。
【請求項１０】  第１の情報処理装置、前記第１の情報処理装置と第１の側で接続される通信制御装置、および、前記通信制御装置の第２の側でネットワークを介して接続され、前記第１の情報処理装置と情報の授受を行う第２の情報処理装置から構成されるネットワークシステムにおいて、
前記第１の情報処理装置から前記第２の情報処理装置に対して、前記通信制御装置の前記第２の側において前記第１の情報処理装置を識別するための情報である第１の固有情報と、前記通信制御装置内のサービスを識別するための第１の識別情報の通知を要求する要求手段と、
前記要求手段からの前記要求を前記通信制御装置が受信した場合、前記要求に送信元情報として含まれる、前記第１の情報処理装置の前記第１の側において固有の情報である第２の固有情報および前記第１の情報処理装置内のサービスを識別するための第２の識別情報を、前記第１の固有情報および前記第１の識別情報に変換して、前記要求を前記第２の情報処理装置に転送する第１の転送手段と、
前記第１の転送手段から転送された、前記第１の情報処理装置による前記要求を前記第２の情報処理装置が受信した場合、要求された前記第１の固有情報と、
前記第１の識別情報の通知を含む応答を前記第１の情報処理装置に対して出力する応答出力手段と、
前記応答出力手段からの前記応答を前記通信制御装置が受信した場合、前記応答に送信先情報として含まれる、前記第１の固有情報および前記第１の識別情報を、前記第２の固有情報および前記第２の識別情報に変換して、前記応答を前記第１の情報処理装置に転送する第２の転送手段と、
前記第２の転送手段から転送された、前記第２の情報処理装置からの前記応答を受信する応答受信手段と、
前記情報の送信を前記第２の情報処理装置が開始する場合、前記情報を送信する情報送信手段と、
前記情報送信手段からの前記情報を前記通信制御装置が受信した場合、前記情報に送信先情報として含まれる、前記第１の固有情報および前記第１の識別情報を、前記第２の固有情報および前記第２の識別情報に変換して、前記情報を前記第１の情報処理装置に転送する第３の転送手段と、
前記第３の転送手段から転送された、前記第２の情報処理装置からの前記情報を受信する情報受信手段と
を含むことを特徴とするネットワークシステム。
【請求項１１】  前記第１の固有情報は、グローバルＩＰアドレスであり、
前記第２の固有情報は、ローカルＩＰアドレスであり、
前記第１の識別情報は、前記通信制御装置が通信のサービスを行なうポートのポート番号であり、
前記第２の識別情報は、前記第１の情報処理装置が通信のサービスを行なうポートのポート番号である
ことを特徴とする請求項１０に記載のネットワークシステム。
【請求項１２】  第１の情報処理装置、前記第１の情報処理装置と第１の側で接続される通信制御装置、および、前記通信制御装置の第２の側でネットワークを介して接続され、前記第１の情報処理装置と情報の授受を行う第２の情報処理装置から構成されるネットワークシステムの通信方法において、
前記第１の情報処理装置から前記第２の情報処理装置に対して、前記通信制御装置の前記第２の側において前記第１の情報処理装置を識別するための情報である第１の固有情報と、前記通信制御装置内のサービスを識別するための第１の識別情報の通知を要求する要求ステップと、
前記要求ステップの処理による前記要求を前記通信制御装置が受信した場合、前記要求に送信元情報として含まれる、前記第１の情報処理装置の前記第１の側において固有の情報である第２の固有情報および前記第１の情報処理装置内のサービスを識別するための第２の識別情報を、前記第１の固有情報および前記第１の識別情報に変換して、前記要求を前記第２の情報処理装置に転送する第１の転送ステップと、
前記第１の転送ステップの処理により転送された、前記第１の情報処理装置による前記要求を前記第２の情報処理装置が受信した場合、要求された前記第１の固有情報と、前記第１の識別情報の通知を含む応答を前記第１の情報処理装置に対して出力する応答出力ステップと、
前記応答出力ステップの処理による前記応答を前記通信制御装置が受信した場合、前記応答に送信先情報として含まれる、前記第１の固有情報および前記第１の識別情報を、前記第２の固有情報および前記第２の識別情報に変換して、前記応答を前記第１の情報処理装置に転送する第２の転送ステップと、
前記第２の転送ステップの処理により転送された、前記第２の情報処理装置からの前記応答を受信する応答受信ステップと、
前記情報の送信を前記第２の情報処理装置が開始する場合、前記情報を送信する情報送信ステップと、
前記情報送信ステップの処理により送信された前記情報を前記通信制御装置が受信した場合、前記応答に送信先情報として含まれる、前記第１の固有情報および前記第１の識別情報を、前記第２の固有情報および前記第２の識別情報に変換して、前記情報を前記第１の情報処理装置に転送する第３の転送ステップと、
前記第３の転送ステップの処理により転送された、前記第２の情報処理装置からの前記情報を受信する情報受信ステップと
を含むことを特徴とする通信方法。
【請求項１３】  接続されている通信制御装置とネットワークを介して他の情報処理装置と情報を授受する情報処理装置において、
前記他の情報処理装置に対して、前記通信制御装置において前記他の情報処理装置を識別するための情報である固有情報と、前記通信制御装置内のサービスを識別するための識別情報の通知を要求する要求手段と、
前記他の情報処理装置から送信された、前記要求手段の要求に対応する応答であって、前記固有情報と前記識別情報の通知を含む応答を受信する応答受信手段と、
前記他の情報処理装置から送信された情報を受信する情報受信手段と、
前記他の情報処理装置に情報を送信する情報送信手段と
を備えることを特徴とする情報処理装置。
【請求項１４】  前記固有情報は、グローバルＩＰアドレスであり、
前記識別情報は、前記通信制御装置が通信のサービスを行なうポートのポート番号である
ことを特徴とする請求項１３に記載の情報処理装置。
【請求項１５】  通信制御装置と接続されている他の情報処理装置とネットワークを介して情報を授受する情報処理装置において、
前記他の情報処理装置から送信された、前記通信制御装置において前記他の情報処理装置を識別するための情報である固有情報と、前記通信制御装置内のサービスを識別するための識別情報の通知の要求を受信する要求受信手段と、
前記要求受信手段により受信された前記固有情報と前記識別情報の通知の要求に対応して、前記通信制御装置の前記固有情報と前記識別情報の通知を含む応答を出力する応答出力手段と、
前記他の情報処理装置に情報を送信する情報送信手段と
を備えることを特徴とする情報処理装置。
【請求項１６】  前記固有情報は、グローバルＩＰアドレスであり、
前記識別情報は、前記通信制御装置が通信のサービスを行なうポートのポート番号である
ことを特徴とする請求項１５に記載の情報処理装置。
【手続補正２】
【補正対象書類名】明細書
【補正対象項目名】００４５
【補正方法】変更
【補正の内容】
【００４５】
【課題を解決するための手段】
本発明の第１のネットワークシステムは、第１の情報処理装置、第１の情報処理装置と第１の側で接続される通信制御装置、および、通信制御装置の第２の側でネットワークを介して接続され、第１の情報処理装置と情報の授受を行う第２の情報処理装置から構成されるネットワークシステムであって、第１の情報処理装置から第２の情報処理装置に対して、通信制御装置の第２の側において第１の情報処理装置を識別するための情報である第１の固有情報と、通信制御装置内のサービスを識別するための第１の識別情報の通知を要求する要求手段と、要求手段からの要求を通信制御装置が受信した場合、要求に送信元情報として含まれる、第１の情報処理装置の第１の側において固有の情報である第２の固有情報および第１の情報処理装置内のサービスを識別するための第２の識別情報を、第１の固有情報および第１の識別情報に変換して、要求を第２の情報処理装置に転送する第１の転送手段と、第１の転送手段から転送された、第１の情報処理装置による要求を第２の情報処理装置が受信した場合、要求された第１の固有情報と、第１の識別情報の通知を含む応答を第１の情報処理装置に対して出力する応答出力手段と、応答出力手段からの応答を通信制御装置が受信した場合、応答に送信先情報として含まれる、第１の固有情報および第１の識別情報を、第２の固有情報および第２の識別情報に変換して、応答を第１の情報処理装置に転送する第２の転送手段と、第２の転送手段から転送された、第２の情報処理装置からの応答を受信する応答受信手段と、情報の送信を第２の情報処理装置が開始する場合、情報を送信するサービスを識別するための第３の識別情報を、応答を出力するサービスを識別するための第４の識別情報と同じに設定し、情報を送信する情報送信手段と、情報送信手段からの情報を通信制御装置が受信した場合、情報に送信先情報として含まれる、第１の固有情報および第１の識別情報を、第２の固有情報および第２の識別情報に変換して、情報を第１の情報処理装置に転送する第３の転送手段と、第３の転送手段から転送された、第２の情報処理装置からの情報を受信する情報受信手段とを含むことを特徴とする。
【手続補正３】
【補正対象書類名】明細書
【補正対象項目名】００４８
【補正方法】変更
【補正の内容】
【００４８】
本発明の第１の通信方法は、第１の情報処理装置、第１の情報処理装置と第１の側で接続される通信制御装置、および、通信制御装置の第２の側でネットワークを介して接続され、第１の情報処理装置と情報の授受を行う第２の情報処理装置から構成されるネットワークシステムの通信方法であって、第１の情報処理装置から第２の情報処理装置に対して、通信制御装置の第２の側において第１の情報処理装置を識別するための情報である第１の固有情報と、通信制御装置内のサービスを識別するための第１の識別情報の通知を要求する要求ステップと、要求ステップの処理による要求を通信制御装置が受信した場合、要求に送信元情報として含まれる、第１の情報処理装置の第１の側において固有の情報である第２の固有情報および第１の情報処理装置内のサービスを識別するための第２の識別情報を、第１の固有情報および第１の識別情報に変換して、要求を第２の情報処理装置に転送する第１の転送ステップと、第１の転送ステップの処理により転送された、第１の情報処理装置による要求を第２の情報処理装置が受信した場合、要求された第１の固有情報と、第１の識別情報の通知を含む応答を第１の情報処理装置に対して出力する応答出力ステップと、応答出力ステップの処理による応答を通信制御装置が受信した場合、応答に送信先情報として含まれる、第１の固有情報および第１の識別情報を、第２の固有情報および第２の識別情報に変換して、応答を第１の情報処理装置に転送する第２の転送ステップと、第２の転送ステップの処理により転送された、第２の情報処理装置からの応答を受信する応答受信ステップと、情報の送信を第２の情報処理装置が開始する場合、情報を送信するサービスを識別するための第３の識別情報を、応答を出力するサービスを識別するための第４の識別情報と同じに設定し、情報を送信する情報送信ステップと、情報送信ステップの処理により送信された情報を通信制御装置が受信した場合、情報に送信先情報として含まれる、第１の固有情報および第１の識別情報を、第２の固有情報および第２の識別情報に変換して、情報を第１の情報処理装置に転送する第３の転送ステップと、第３の転送ステップの処理により転送された、第２の情報処理装置からの情報を受信する情報受信ステップとを含むことを特徴とする。
【手続補正４】
【補正対象書類名】明細書
【補正対象項目名】００４９
【補正方法】変更
【補正の内容】
【００４９】
本発明の第１の情報処理装置は、他の情報処理装置から送信された、通信制御装置において他の情報処理装置を識別するための情報である第１の固有情報と、通信制御装置内のサービスを識別するための第１の識別情報の通知の要求を受信する要求受信手段と、要求受信手段により受信された第１の固有情報と第１の識別情報の通知の要求に対応して、通信制御装置の第１の固有情報と第１の識別情報の通知を含む応答を出力する応答出力手段と、他の情報処理装置に情報を送信する情報送信手段とを備え、情報送信手段は、情報処理装置の情報を出力するサービスを識別するための第２の識別情報を、情報処理装置の応答出力手段が応答を出力するサービスを識別するための第３の識別情報と同じとすることを特徴とする情報処理装置。
【手続補正５】
【補正対象書類名】明細書
【補正対象項目名】００５２
【補正方法】変更
【補正の内容】
【００５２】
本発明の情報処理方法は、他の情報処理装置から送信された、通信制御装置おいて他の情報処理装置を識別するための情報である第１の固有情報と、通信制御装置内のサービスを識別するための第１の識別情報の通知の要求を受信する要求受信ステップと、要求受信ステップの処理により受信された第１の固有情報と第１の識別情報の通知の要求に対応して、通信制御装置の第１の固有情報と第１の識別情報の通知を含む応答を出力する応答出力ステップと、他の情報処理装置に情報を送信する情報送信ステップとを含み、情報送信ステップの処理は、情報処理装置の情報を出力するサービスを識別するための第２の識別情報を、情報処理装置の応答出力ステップの処理により応答を出力するサービスを識別するための第３の識別情報と同じとすることを特徴とする。
【手続補正６】
【補正対象書類名】明細書
【補正対象項目名】００５３
【補正方法】変更
【補正の内容】
【００５３】
本発明のプログラムは、通信制御装置を介してネットワークに接続されている他の情報処理装置と、ネットワークを介して情報を授受する情報処理装置を制御するコンピュータが実行可能なプログラムであって、他の情報処理装置から送信された、通信制御装置において他の情報処理装置を識別するための情報である第１の固有情報と、通信制御装置内のサービスを識別するための第１の識別情報の通知の要求を受信する要求受信ステップと、要求受信ステップの処理により受信された第１の固有情報と第１の識別情報の通知の要求に対応して、通信制御装置の第１の固有情報と第１の識別情報の通知を含む応答を出力する応答出力ステップと、他の情報処理装置に情報を送信する情報送信ステップとを含み、情報送信ステップの処理は、情報処理装置の情報を出力するサービスを識別するための第２の識別情報を、情報処理装置の応答出力ステップの処理により応答を出力するサービスを識別するための第３の識別情報と同じとすることを特徴とする。
【手続補正７】
【補正対象書類名】明細書
【補正対象項目名】００５４
【補正方法】変更
【補正の内容】
【００５４】
本発明の第２のネットワークシステムは、第１の情報処理装置、第１の情報処理装置と第１の側で接続される通信制御装置、および、通信制御装置の第２の側でネットワークを介して接続され、第１の情報処理装置と情報の授受を行う第２の情報処理装置から構成されるネットワークシステムであって、第１の情報処理装置から第２の情報処理装置に対して、通信制御装置の第２の側において第１の情報処理装置を識別するための情報である第１の固有情報と、通信制御装置内のサービスを識別するための第１の識別情報の通知を要求する要求手段と、要求手段からの要求を通信制御装置が受信した場合、要求に送信元情報として含まれる、第１の情報処理装置の第１の側において固有の情報である第２の固有情報および第１の情報処理装置内のサービスを識別するための第２の識別情報を、第１の固有情報および第１の識別情報に変換して、要求を第２の情報処理装置に転送する第１の転送手段と、第１の転送手段から転送された、第１の情報処理装置による要求を第２の情報処理装置が受信した場合、要求された第１の固有情報と、第１の識別情報の通知を含む応答を第１の情報処理装置に対して出力する応答出力手段と、応答出力手段からの応答を通信制御装置が受信した場合、応答に送信先情報として含まれる、第１の固有情報および第１の識別情報を、第２の固有情報および第２の識別情報に変換して、応答を第１の情報処理装置に転送する第２の転送手段と、第２の転送手段から転送された、第２の情報処理装置からの応答を受信する応答受信手段と、情報の送信を第２の情報処理装置が開始する場合、情報を送信する情報送信手段と、情報送信手段からの情報を通信制御装置が受信した場合、情報に送信先情報として含まれる、第１の固有情報および第１の識別情報を、第２の固有情報および第２の識別情報に変換して、情報を第１の情報処理装置に転送する第３の転送手段と、第３の転送手段から転送された、第２の情報処理装置からの情報を受信する情報受信手段とを含むことを特徴とする。
【手続補正８】
【補正対象書類名】明細書
【補正対象項目名】００５６
【補正方法】変更
【補正の内容】
【００５６】
本発明の第２の通信方法は、第１の情報処理装置、第１の情報処理装置と第１の側で接続される通信制御装置、および、通信制御装置の第２の側でネットワークを介して接続され、第１の情報処理装置と情報の授受を行う第２の情報処理装置から構成されるネットワークシステムの通信方法であって、第１の情報処理装置から第２の情報処理装置に対して、通信制御装置の第２の側において第１の情報処理装置を識別するための情報である第１の固有情報と、通信制御装置内のサービスを識別するための第１の識別情報の通知を要求する要求ステップと、要求ステップの処理による要求を通信制御装置が受信した場合、要求に送信元情報として含まれる、第１の情報処理装置の第１の側において固有の情報である第２の固有情報および第１の情報処理装置内のサービスを識別するための第２の識別情報を、第１の固有情報および第１の識別情報に変換して、要求を第２の情報処理装置に転送する第１の転送ステップと、第１の転送ステップの処理により転送された、第１の情報処理装置による要求を第２の情報処理装置が受信した場合、要求された第１の固有情報と、第１の識別情報の通知を含む応答を第１の情報処理装置に対して出力する応答出力ステップと、応答出力ステップの処理による応答を通信制御装置が受信した場合、応答に送信先情報として含まれる、第１の固有情報および第１の識別情報を、第２の固有情報および第２の識別情報に変換して、応答を第１の情報処理装置に転送する第２の転送ステップと、第２の転送ステップの処理により転送された、第２の情報処理装置からの応答を受信する応答受信ステップと、情報の送信を第２の情報処理装置が開始する場合、情報を送信する情報送信ステップと、情報送信ステップの処理により送信された情報を通信制御装置が受信した場合、応答に送信先情報として含まれる、第１の固有情報および第１の識別情報を、第２の固有情報および第２の識別情報に変換して、情報を第１の情報処理装置に転送する第３の転送ステップと、第３の転送ステップの処理により転送された、第２の情報処理装置からの情報を受信する情報受信ステップとを含むことを特徴とする。
【手続補正９】
【補正対象書類名】明細書
【補正対象項目名】００５７
【補正方法】変更
【補正の内容】
【００５７】
本発明の第２の情報処理装置は、他の情報処理装置に対して、通信制御装置において他の情報処理装置を識別するための情報である固有情報と、通信制御装置内のサービスを識別するための識別情報の通知を要求する要求手段と、他の情報処理装置から送信された、要求手段の要求に対応する応答であって、固有情報と識別情報の通知を含む応答を受信する応答受信手段と、他の情報処理装置から送信された情報を受信する情報受信手段と、他の情報処理装置に情報を送信する情報送信手段とを備えることを特徴とする。
【手続補正１０】
【補正対象書類名】明細書
【補正対象項目名】００５９
【補正方法】変更
【補正の内容】
【００５９】
本発明の第３の情報処理装置は、他の情報処理装置から送信された、通信制御装置において他の情報処理装置を識別するための情報である固有情報と、通信制御装置内のサービスを識別するための識別情報の通知の要求を受信する要求受信手段と、要求受信手段により受信された固有情報と識別情報の通知の要求に対応して、通信制御装置の固有情報と識別情報の通知を含む応答を出力する応答出力手段と、他の情報処理装置に情報を送信する情報送信手段とを備えることを特徴とする。
【手続補正１１】
【補正対象書類名】明細書
【補正対象項目名】００６１
【補正方法】変更
【補正の内容】
【００６１】
第１の本願発明においては、第１の情報処理装置から、第２の情報処理装置に対して、通信制御装置において第１の情報処理装置を識別するための情報である第１の固有情報と通信制御装置内のサービスを識別するための第１の識別情報の通知が要求されると、第２の情報処理装置は、通信制御装置の第１の固有情報と第１の識別情報を含む応答を第１の情報処理装置に送信する。また、第２の情報処理装置は、第１の情報処理装置に情報を送信する場合、情報を送信するサービスを識別するための第３の識別情報を、応答を出力するサービスを識別するための第４の識別情報と同じとする。
【手続補正１２】
【補正対象書類名】明細書
【補正対象項目名】００６２
【補正方法】変更
【補正の内容】
【００６２】
第２の本願発明においては、他の情報処理装置から通信制御装置において他の情報処理装置を識別するための情報である第１の固有情報と通信制御装置内のサービスを識別するための第１の識別情報の通知の要求が受信されると、この要求に対応して、通信制御装置の第１の固有情報と第１の識別情報の通知を含む応答が出力される。また、他の情報処理装置に情報を送信する場合、情報を出力するサービスを識別する第２の識別情報を、応答を出力するサービスを識別するための第３の識別情報と同じとする。
【手続補正１３】
【補正対象書類名】明細書
【補正対象項目名】００６３
【補正方法】変更
【補正の内容】
【００６３】
第３の本願発明においては、第１の情報処理装置から、第２の情報処理装置に対して、通信制御装置において第１の情報処理装置を識別するための情報である第１の固有情報と通信制御装置内のサービスを識別するための第１の識別情報の通知が要求されると、第２の情報処理装置は、通信制御装置の第１の固有情報と第１の識別情報を含む応答を第１の情報処理装置に送信する。
【手続補正１４】
【補正対象書類名】明細書
【補正対象項目名】００６４
【補正方法】変更
【補正の内容】
【００６４】
第４の本願発明においては、他の情報処理装置に対して、通信制御装置において他の情報処理装置を識別するための情報である第１の固有情報と通信制御装置内のサービスを識別するための第１の識別情報の通知が要求され、他の情報処理装置から送信された、要求に対応する応答が受信される。
【手続補正１５】
【補正対象書類名】明細書
【補正対象項目名】００６５
【補正方法】変更
【補正の内容】
【００６５】
第５の本願発明においては、他の情報処理装置から、通信制御装置において他の情報処理装置を識別するための情報である第１の固有情報と通信制御装置内のサービスを識別するための第１の識別情報の通知の要求が受信されると、この要求に対応して、通信制御装置の第１の固有情報と第１の識別情報を含む応答が出力され、他の情報処理装置に送信される。